(57)【要約】【課題】暗視野顕微鏡及び試料照明方法において、ＳＮ比を向上させることを可能とする。【解決手段】導光部材１３は、板状に形成され、一の面に蛍光色素及びポリマーを含む蛍光体４１と試料４０とが載置される。光源１１から出射した励起光は、導光部材１３上に載置された蛍光体４１に照射される。励起光が蛍光体４１に照射されることで発生した蛍光は、導光部材１３内を全反射しつつ試料４０が載置された位置まで伝搬する。試料は、蛍光が全反射することで発生したエバネッセント光で照明される。【選択図】図１
2016071162.tif 000002
【特許請求の範囲】
【請求項１】
板状に形成され、一の面に蛍光色素及びポリマーを含む蛍光体と試料とが載置される導光部材と、
前記導光部材に載置された蛍光体に照射される励起光を出射する光源と、
試料を観察するための観察光学系とを備え、
前記励起光が前記蛍光体に照射されることで発生した蛍光は、導光部材内を全反射しつつ前記試料が載置された位置まで伝搬し、前記試料は、前記蛍光のエバネッセント光で照明され、
前記観察光学系は、前記励起光の波長の光を遮断し、前記蛍光の波長の光を透過する波長フィルタを含む暗視野顕微鏡。
【請求項２】
前記蛍光体と前記試料との間に、光源から出射した励起光、前記蛍光体から発せられた蛍光のうちで前記導光部材と反対側に放射したもの、及び、前記導光部材に入射した蛍光のうちで前記導光部材の界面で全反射せずに外部に出射したものの少なくとも１つが前記試料に入射するのを防ぐ遮光部を更に有する請求項１に記載の暗視野顕微鏡。
【請求項３】
前記遮光部は、前記導光部材の一の面に載置され、前記蛍光体を囲む筒状の遮光部と前記試料を囲む筒状の遮光部とのうちの少なくとも一方を含む請求項２に記載の暗視野顕微鏡。
【請求項４】
前記蛍光体を載置する位置と前記試料を載置する位置との間の距離が５ｍｍ以上５０ｍｍ以下である請求項１から３何れか１項に記載の暗視野顕微鏡。
【請求項５】
前記導光部材は、端面のうちで、前記試料及び前記蛍光体が載置される面と、該試料及び蛍光体が載置される面に対向する面とを除く面の少なくとも１つに反射部材を有する請求項１から４何れか１項に記載の暗視野顕微鏡。
【請求項６】
前記反射部材は、前記導光部材の端面のうちで、前記試料及び前記蛍光体が載置される面と、該試料及び蛍光体が載置される面に対向する面とを除く面を取り囲む請求項５に記載の暗視野顕微鏡。
【請求項７】
前記反射部材は銀又はアルミニウムで形成される請求項５又は６に記載の暗視野顕微鏡。
【請求項８】
前記観察光学系は対物レンズを含み、該対物レンズは、前記導光部材の試料が載置される一の面とは反対側の面に配置される請求項１から７何れか１項に記載の暗視野顕微鏡。
【請求項９】
前記観察光学系は共焦点光学系を含む請求項１から８何れか１項に記載の暗視野顕微鏡。
【請求項１０】
板状に形成され、一の面に蛍光色素及びポリマーを含む蛍光体と試料とを載置する導光部材の前記蛍光体が配置される個所に励起光を照射し、前記励起光が前記蛍光体に照射されることで発生した蛍光が導光部材内を全反射しつつ前記試料が載置された位置まで伝搬することにより生じるエバネッセント光により前記試料を照明する試料照明方法。
【発明の詳細な説明】
【技術分野】
【０００１】
本発明は、暗視野顕微鏡及び照明方法に関し、更に詳しくは、エバネッセント光により試料を照明する暗視野顕微鏡及び照明方法に関する。
【背景技術】
【０００２】
顕微鏡の一種として、対物レンズに直接に照明光が入射しないように試料を照明し、試料が散乱した光を観察する暗視野顕微鏡が知られている。暗視野顕微鏡は、生体細胞などの屈折率差が小さいものを非染色で観察することができるという利点がある。暗視野顕微鏡として、暗視野専用の暗視野コンデンサ対物レンズを用いた対物レンズ利用型暗視野顕微鏡が知られている。一般に、暗視野コンデンサ対物レンズは高価であり、装置の低コスト化が困難である。
【０００３】
暗視野顕微鏡の別の種類として、プリズム型暗視野顕微鏡も知られている。プリズム型暗視野顕微鏡では、光学系がプリズムを利用して構成されており、プリズムを介してレーザ光をカバーガラスに導入することで全反射をカバーガラス（導波路コア）界面に発生させ、その照明領域を対物レンズで観察する。プリズム型暗視野顕微鏡では、暗視野コンデンサ対物レンズなどの高価な光学素子は不要であり、装置の低コスト化が可能である。
【０００４】
しかしながら、プリズム型暗視野顕微鏡でも、プリズムを利用することが必要であるし、全反射角となるように光を入射して導波させることが必要であることから、光学系の構成が複雑になる。また、光学設計に、非常に高精度な設計が求められる。これら問題に対しては、プリズムを用いずに光導波路コアに光を導入する方法が提案されている（特許文献１）。特許文献１では、光導波路コアに接するように液滴が配置され、その液滴内に光ファイバの先端が挿入される。光源から発射された光は、光ファイバの先端から液滴を介して光導波路コア内に導入される。
【先行技術文献】
【特許文献】
【０００５】
【特許文献１】特開２００４−１６３２５７号公報
【発明の概要】
【発明が解決しようとする課題】
【０００６】
ここで、特許文献１では、光源から導波路コアに入射する光の波長と、導波路コアの界面で発生するエバネッセント光の波長とは同じである。つまり、光源の出射光の波長と、試料の照明光の波長とが同じである。光源の出射光が対物レンズなどを含む観察光学系に回り込むことがあり、観察する画像のＳＮ比（Signal to Noise Ration）が低下するという問題がある。
【０００７】
本発明は、上記に鑑み、観察する画像のＳＮ比を向上させることが可能な暗視野顕微鏡及び試料照明方法を提供することを目的とする。
【課題を解決するための手段】
【０００８】
上記目的を達成するために、本発明は、板状に形成され、一の面に蛍光色素及びポリマーを含む蛍光体と試料とが載置される導光部材と、導光部材に載置された蛍光体に照射される励起光を出射する光源と、試料を観察するための観察光学系とを備え、励起光が前記蛍光体に照射されることで発生した蛍光は、導光部材内を全反射しつつ試料が載置された位置まで伝搬し、試料は、蛍光のエバネッセント光で照明され、観察光学系は、励起光の波長の光を遮断し、蛍光の波長の光を透過する波長フィルタを含む暗視野顕微鏡を提供する。
【０００９】
本発明の暗視野顕微鏡では、蛍光体と試料との間に、光源から出射した励起光、蛍光体から発せられた蛍光のうちで導光部材と反対側に放射したもの、及び、導光部材に入射した蛍光のうちで導光部材の界面で全反射せずに外部に出射したものの少なくとも１つ光が試料に入射するのを防ぐ遮光部を更に有することが好ましい。
【００１０】
遮光部は、導光部材の一の面に載置され、蛍光体を囲む筒状の遮光部と試料を囲む筒状の遮光部とのうちの少なくとも一方を含むこととすることができる。
【００１１】
導光部材において、蛍光体を載置する位置と試料を載置する位置との間の距離が５ｍｍ以上５０ｍｍ以下であることが好ましい。
【００１２】
導光部材は、その端面のうちで、試料及び蛍光体が載置される面と、その載置面に対向する面とを除く面の少なくとも１つに反射部材を有していてもよい。
【００１３】
上記反射部材は、導光部材の端面のうちで、試料及び蛍光体の載置面と、その載置面に対向する面とを除く面を取り囲むことが好ましい。
【００１４】
上記反射部材は例えば銀又はアルミニウムで形成できる。
【００１５】
観察光学系は対物レンズを含み、対物レンズは、導光部材の試料が載置される一の面とは反対側の面に配置されることが好ましい。
【００１６】
観察光学系は共焦点光学系を含むことが好ましい。
【００１７】
また、本発明は、板状に形成され、一の面に蛍光色素及びポリマーを含む蛍光体と試料とを載置する導光部材の蛍光体が配置される個所に励起光を照射し、励起光が蛍光体に照射されることで発生した蛍光が導光部材内を全反射しつつ試料が載置された位置まで伝搬することにより生じるエバネッセント光により試料を照明する試料照明方法を提供する。
【発明の効果】
【００１８】
本願発明の暗視野顕微鏡及び試料照明方法では、導光部材に蛍光体と試料とを載置し、蛍光体に励起光を照射して蛍光を発生させ、蛍光が導光部材を全反射しながら導光されることで生じるエバネッセント光により試料を照明する。この場合、励起光の波長とエバネッセント光の波長とが異なるため、試料を励起光の波長とは異なる波長の光で照明できる。本発明の暗視野顕微鏡では、観察光学系に含まれる波長フィルタによって励起光と試料の照明光とを容易に分離することができ、観察する画像のＳＮ比を向上させることができる。
【図面の簡単な説明】
【００１９】
【図１】本発明の一実施形態の暗視野顕微鏡を示すブロック図。
【図２】蛍光体に対する励起光の照射を示す断面図。
【図３】蛍光が導光部材を伝搬する様子を示す断面図。
【図４】導光部材の一面側に載置された試料と蛍光体とを示す断面図。
【図５】比較例のダークライト顕微鏡を示すブロック図。
【図６】端部に反射部材を有する導光部材を示す断面図。
【発明を実施するための形態】
【００２０】
以下、図面を参照し、本発明の実施の形態を詳細に説明する。図１は、本発明の一実施形態の暗視野顕微鏡を示す。暗視野顕微鏡（エバネッセント散乱光顕微鏡）１０は、光源１１、ミラー１２、導光部材１３、対物レンズ１４、ミラー１５、レンズ１６、ピンホール１７、レンズ１８、波長フィルタ１９、レンズ２０、及び受光部２１を有する。導光部材１３には、試料４０と蛍光体４１とが載置される。
【００２１】
光源１１は、蛍光体４１に照射される励起光を出射する。光源１１は、例えばレーザ光（連続光）を出射するレーザ光源である。励起光の出力は、例えば２０ｍＷ〜４０ｍＷである。光源１１から出射した励起光は、ミラー１２で反射して蛍光体４１に照射される。励起光の照射の仕方は任意であり、例えばミラー１２を用いるのに代えて、光源１１から出射した光を光ファイバを用いて導光し、光ファイバから蛍光体４１に照射してもよい。光源１１から出射した励起光を、蛍光体４１に直接に照射してもよい。
【００２２】
蛍光体４１は、蛍光色素とポリマーとを含む。蛍光色素には、例えばローダミン６Ｇを用いることができる。ポリマーは、ポリマー種を溶媒で溶かしたものである。ポリマー種には、ＰＭＭＡ−ＥＡ（Poly(methyl methacrylate-co-ethyl acrylate)）、ＰＳ（Polystyrene）、ＰＳ（Polycarbonate）、ＰＶＣ（Polyvinyl chloride）、ＰＭＭＡ（Polymethyl methacrylate）、及びＰＳ−ＰＭＭＡ（Polystyrene - Polymethyl methacrylate）などを用いることができる。溶媒には、トルエン、ジクロロエタン、及びクロロホルムなどを用いることができる。
【００２３】
導光部材１３は、板状に形成された透明基板である。導光部材１３の材料には、例えばガラスが用いられる。通常のスライドガラスを導光部材１３として用いてもよい。導光部材１３の表面は、できるだけ凹凸がないことが好ましい。導光部材１３の屈折率は例えば１．４８から１．４９程度である。導光部材１３の一の面に、試料４０と蛍光体４１とが載置される。
【００２４】
図２は、蛍光体４１に対する励起光の照射を示している。蛍光体４１に励起光が照射されると、蛍光体４１は蛍光を発生する。蛍光体４１から発生する蛍光の波長は、励起光の波長とは異なる。
【００２５】
図３は、蛍光が導光部材１３を伝搬する様子を示す。蛍光体４１から発生した蛍光のうち、全反射条件を満たす角度成分の光が導光部材１３内を全反射しながら伝搬する。これにより、導光部材１３の表面にエバネッセント光が生じる。蛍光は、導光部材１３内を全反射しつつ試料４０が載置された位置まで伝搬され、導光部材１３表面のエバネッセント光により試料４０が照明される。
【００２６】
蛍光体４１から発生した蛍光のうち、全反射条件で導光部材１３の界面に入射しない光の成分は、導光部材１３から外部に出射し、試料４０の位置まで伝搬するものはわずかである。また、光源１１から出射した励起光は、そのほとんどが導光部材１３をまっすぐ透過し、試料４０の位置まで伝搬するものはごくわずかである。
【００２７】
図４は、導光部材１３の一面側に載置された試料４０と蛍光体４１とを示す。試料４０と蛍光体４１との間の距離ｄがあまり近すぎると、蛍光体４１で発生した蛍光のうちで導光部材１３の界面で全反射しない光の成分が、導光部材１３から出射して、試料４０や対物レンズ１４に入射することがある。一方で、試料４０と蛍光体４１とが離れすぎていると、試料４０を照明するエバネッセント光が弱くなる。試料４０と蛍光体４１との間の距離ｄは、５ｍｍ以上５０ｍｍ以下が好ましい。距離ｄは、８ｍｍ以上２０ｍｍ以下がより好ましい。距離ｄは、例えば試料４０の中心線と、蛍光体４１の中心線との間の距離と定義できる。
【００２８】
ここで、蛍光体４１に含まれるポリマーの量によっては、蛍光体４１の形状が適切ではなくなり、蛍光体４１で発生した蛍光が導光部材１３の界面で全反射せず、従ってエバネッセント光が発生しないことがある。ポリマーの量は、蛍光体４１で発生した蛍光に導光部材１３を全反射する成分が含まれるように設定されることが好ましい。ポリマーの分子量は、用いるポリマー種によって適宜選定される。本発明者らが行った実験によれば、ポリマー種にＰＳを用いた場合は分子量２８０，０００のとき、ＰＭＭＡを用いた場合は分子量３５０，０００のとき、ＰＶＣを用いた場合は分子量１，１００，０００のとき、ＰＳ−ＰＭＭＡを用いた場合は分子量８２，０００のとき、エバネッセント光を発生させることができた。一方で、ポリマー種にＰＭＭＡ−ＥＡを用いた場合は分子量１０１，０００のとき、ＰＳを用いた場合は分子量３５，０００のとき、ＰＭＭＡを用いた場合は分子量１２０，０００のとき、ＰＶＣを用いた場合は分子量２５，０００のとき、ＰＳ−ＰＭＭＡを用いた場合は分子量２３，０００のとき、エバネッセント光を発生させることができなかった。この実験から、ポリマー種の分子量は３６，０００〜１,１００，０００が適当である。
【００２９】
図１に戻り、対物レンズ１４、ミラー１５、レンズ１６、ピンホール１７、レンズ１８、波長フィルタ１９、レンズ２０、及び受光部２１は、試料４０を観察するための観察光学系を構成する。以下に説明する観察光学系は一例であり、観察光学系の構成は特に限定されない。本実施形態の暗視野顕微鏡における観察光学系の構成は、通常の顕微鏡における観察光学系の構成と同様でよい。
【００３０】
試料４０により散乱した散乱光は、対物レンズ１４に入射する。一例として、対物レンズ１４には倍率２０倍のものが用いられる。対物レンズ１４は、好ましくは導光部材１３の試料４０が載置された面の反対側に配置される。対物レンズ１４の配置は特に限定されず、対物レンズ１４が導光部材１３の試料４０が載置された面側に配置されていてもよい。対物レンズ１４に入射した光は、ミラー１５で反射してレンズ１６に入射する。
【００３１】
ピンホール１７は、レンズ１６の焦点距離の位置、及びレンズ１８の焦点距離に配置されており、レンズ１６、ピンホール１７、及びレンズ１８は共焦点光学系２２を構成する。一例として、レンズ１６の焦点距離は５０ｍｍであり、レンズ１８の焦点距離は４５ｍｍである。共焦点光学系２２を透過した光は、波長フィルタ１９に入射する。波長フィルタ１９は、光源１１から出射した励起光を透過させず、蛍光体４１で発生した蛍光を透過させる。波長フィルタ１９は、少なくとも励起光を減衰させればよく、励起光の波長の光を完全に遮断することまでは要しない。波長フィルタ１９を通った光は、レンズ２０を介して受光部２１で受光される。一例として、レンズ２０の焦点距離は７５ｍｍである。受光部２１には、例えばＣＣＤ（Charge Coupled Device）撮像デバイスが用いられる。ミラー１５を用いずに、対物レンズ１４の光軸上に、共焦点光学系２２、波長フィルタ１９、レンズ２０、及び受光部２１を並べて配置してもよい。
【００３２】
なお、波長フィルタ１９は、観察光学系において、受光部２１に至る経路に挿入されていればよく、波長フィルタ１９の位置は、上記した位置、すなわちレンズ１８とレンズ２０との間には限定されない。波長フィルタ１９は、レンズ２０と受光部２１との間に配置されていてもよし、レンズ１６とピンホール１７との間、又はピンホール１７とレンズ１８との間に配置されていてもよい。波長フィルタ１９は、受光部２１から見て近い位置に設けられることが好ましい。
【００３３】
試料４０と蛍光体４１の載置面には、蛍光体４１を取り囲む中空の筒状の遮光部４５と、試料４０を取り囲む中空の筒状の遮光部４６とを載置してもよい。遮光部４５及び遮光部４６は、遮光性を有する材料で形成される。試料の観察に際してノイズ光となる成分には、以下の３つの成分が考えられる。１つ目は、光源１１の出射光、つまり蛍光に変換されなかった光である。２つ目は、蛍光に変換されたが、導光部材１３に入射せず、後方（導光部材１３と反対側）に放射した光である。蛍光はランバーシアンに放射し、後方に放射した光はノイズ光となる。３つ目は、蛍光に変換され、導光部材１３に入射したが、導光部材１３の界面で全反射せず、導光部材１３から外部に出射した光である。遮光部４５及び遮光部４６は、これらノイズ光を抑制するために設けられる。
【００３４】
なお、図１では、蛍光体４１を取り囲む遮光部４５と試料４０を取り囲む遮光部４６とを用いる例を示したが、遮光部４５及び遮光部４６のうちの一方は省略してもよい。また、遮光部は、光源１１の出射光、蛍光体４１から後方に放射した光、及び導光部材１３から出射した蛍光の少なくとも１つが試料４０に入射するのを防げばよく、必ずしも試料４０及び蛍光体４１を取り囲んでいる必要はない。遮光部は、少なくとも試料４０と蛍光体４１との間に設けられていればよい。
【００３５】
ここで、比較例として、光源の出射光を全反射させてエバネッセント光を発生させる暗視野顕微鏡（ダークライト顕微鏡）を説明する。図５は、比較例のダークライト顕微鏡を示す。光源５１から出射した光は、スライドガラス５２に全反射条件で入射し、スライドガラス５２の表面にエバネッセント光が発生する。スライドガラス５２上には散乱体である観察物５５が載置されており、ＣＣＤ５４は、観察物５５で散乱した光を検出する。ＣＣＤ５４には、光源５１から出射した光の一部が、直接に又はどこかで反射して入射することがある。観察物５５にて生じた散乱光の波長は、光源５１の出射光の波長と同一であり、光源５１から入射した光と観察物５５の散乱光とを分けることができない。
【００３６】
本実施形態では、板状の導光部材１３に試料４０と蛍光体４１とを載置し、蛍光体４１に光源１１が出射した励起光を入射させる。蛍光体４１で発生した蛍光は、導光部材１３を全反射しつつ試料４０が載置された位置まで伝搬され、試料４０は、蛍光が導光部材１３を全反射することで発生したエバネッセント光で照明される。このような試料４０の照明方法を採用することで、光源１１の出射光の波長とは異なる波長のエバネッセント光で試料４０を照明することができる。仮に光源１１を出射した励起光が対物レンズ１４以降の観察光学系に入射したとしても、波長フィルタ１９を用いることで、試料４０の散乱光から励起光を容易に分離可能である。これにより、光源１１から出射した励起光によるノイズ成分を抑え、観察する画像のＳＮ比を向上させることが可能となる。本実施形態では、プリズムを用いなくてもエバネッセント光を発生させることができ、光学系が複雑にならず、高精度な光学設計が要求されないという効果もある。本実施形態では、観察光学系は通常の顕微鏡と同様であり、簡易な構成で暗視野画像を得ることができる。また、遮光部により試料４０に入射するノイズ光を抑制することで、観察画像のＳＮ比を更に向上できる。
【００３７】
なお、導光部材１３は、端面のうちで、試料４０及び蛍光体４１が載置される面と、その載置面に対向する面とを除く面の少なくとも１つに反射部材を有していてもよい。図６は、端面に反射部材を有する導光部材の上面図である。導光部材１３は、その側面、つまり、試料４０及び蛍光体４１の載置面とそれに対向する面を除く４つの面に反射部材２３を有する。反射部材２３は、側面を取り囲むことが好ましい。反射部材２３は、光反射率が高い材料、例えば銀やアルミニウムなどの金属で形成される。導光部材１３内を全反射しつつ一方の端部側に伝搬した光は、反射部材２３で反射して逆向きに伝搬する。反射部材２３を設けることで、導光部材１３内に光を閉じ込める効果を高めることができ、エバネッセント光を増強させることが可能となる。
【００３８】
以上、本発明をその好適な実施形態に基づいて説明したが、本発明の暗視野顕微鏡及び試料照明方法は、上記実施形態にのみ限定されるものではなく、上記実施形態の構成から種々の修正及び変更を施したものも、本発明の範囲に含まれる。
【符号の説明】
【００３９】
１０：暗視野顕微鏡
１１：光源
１２：ミラー
１３：導光部材
１４：対物レンズ
１５：ミラー
１６：レンズ
１７：ピンホール
１８：レンズ
１９：波長フィルタ
２０：レンズ
２１：受光部
２２：共焦点光学系
２３：反射部材
４０：試料
４１：蛍光体
４５、４６：遮光部
【図１】
2016071162.tif 000003
【図２】
2016071162.tif 000004
【図３】
2016071162.tif 000005
【図４】
2016071162.tif 000006
【図５】
2016071162.tif 000007
【図６】
2016071162.tif 000008